(57)【特許請求の範囲】
【請求項１】
広口ボトルＡと、縦形ポンプ１と、筒状保持部材21とからなり、
縦形ポンプ１は、上部外面から第１装着筒15を垂下しており、
筒状保持部材21は、上記第１装着筒15の外面に回動及び抜出し不能に嵌合固着させた保持筒22を有し、この保持筒の上端から外向きフランジ23を介して第２装着筒24を垂下しており、
この第２装着筒24を、保持筒22外径よりも大きい内径を有する、広口ボトルＡの口頸部外面へ嵌合させたことを特徴とする縦形ポンプ装着広口ボトル。
【請求項２】
上記保持筒22の下部から内向きフランジ26を介して第１装着筒15内面へ嵌合させる補助筒27を起立したことを特徴とする請求項１記載の縦形ポンプ装着広口ボトル。
【請求項３】
縦形ポンプ１が有するシリンダ２の上部からフランジ状頂板13を介して外周壁14を、又、該外周壁下端から外方張出し部16を介して上記第１装着筒15を、それぞれ垂下すると共に、上記外方張出し部16の上面と外向きフランジ23上面とがほぼ面一となるように構成したことを特徴とする請求項１記載の縦形ポンプ装着広口ボトル。
【発明の詳細な説明】
【０００１】
【発明の属する技術分野】
本願発明は、縦形ポンプ装着広口ボトルに関する。
【０００２】
【従来の技術】
この種のボトルのポンプは、一般に、シリンダ内を摺動する筒状ピストンから起立したステムの上部に、押下げヘッドを付設すると共に、上記シリンダ上端から外向きフランジを介して嵌合筒を垂設しており、該嵌合筒を、容器の口頸部外面に嵌合することで使用されている。
【０００３】
【発明の解決しようとする課題】
しかし、近年では、環境問題に対応して廃棄物を減量化するため、消費者がボトルの内容液を詰め替えること、即ち、ボトルの内容液を使い切ったときに上記ポンプを口頸部から外して補充液体を注ぎ込むことが良く行われる。
【０００４】
ところが、通常のボトルは、消費者が手作業で内容液を注入するときに、開口の径が小さ過ぎてその周囲に液体をこぼす虞がある。
【０００５】
ボトルの口頸部を大開口とすることは可能であるが、該開口に対応してポンプの装着筒を大径としなければならず、そうなると例えば空の広口ボトル及びポンプを購入したユーザーが自らの製品である内容液を充填する際、該ポンプを広口ボトルへ嵌め込む工程で標準サイズのポンプを対象とする既存の嵌め込み装置が使用できなくなり、液体充填ラインの設計変更に多くのコストを必要とする。
【０００６】
これを避けるために、口径の異なる多種類のボトルについて規格化された一つのサイズのポンプを共用することができるようにすることが要望されている。
【０００７】
該要望に応えるため、本願発明は、広口ボトルＡの口頸部に対して、これより小径の縦形ポンプを容易に取付可能とするため、該ポンプ上部外面から第１装着筒を垂下すると共に、該装着筒外面に嵌合させた保持筒の外面から外向きフランジを介して広口ボトル用の第２装着筒を垂設した保持部材を設けた縦形ポンプ装着広口ボトルを提供することを目的とする。
【０００８】
【課題を解決するための手段】
第１の手段は、広口ボトルＡと、縦形ポンプ１と、筒状保持部材21とからなり、
縦形ポンプ１は、上部外面から第１装着筒15を垂下しており、
筒状保持部材21は、上記第１装着筒15の外面に回動及び抜出し不能に嵌合固着させた保持筒22を有し、この保持筒の上端から外向きフランジ23を介して第２装着筒24を垂下しており、
この第２装着筒24を、保持筒22外径よりも大きい内径を有する、広口ボトルＡの口頸部外面へ嵌合させている。
【０００９】
第２の手段は、上記第１の手段を有し、かつ、上記保持筒22の下部から内向きフランジ26を介して第１装着筒15内面へ嵌合させる補助筒27を起立している。
【００１０】
第３の手段は、上記第１の手段を有し、かつ、縦形ポンプ１が有するシリンダ２の上部からフランジ状頂板13を介して外周壁14を、又、該外周壁下端から外方張出し部16を介して上記第１装着筒15を、それぞれ垂下すると共に、上記外方張出し部16の上面と外向きフランジ23上面とがほぼ面一となるように構成している。
【００１１】
【発明の実施の形態】
Ａは、広口ボトルであり、口頸部を有している。１は、縦形ポンプである。この縦形ポンプは、広口ボトルに比べて小径の口頸部を有するボトルへの取付可能に構成されたものであり、まず、該構成中公知の部分について説明すると、好適な図示例では、縦長のシリンダ２下端に吸上げパイプ３上端部を連結させ、かつ、シリンダ２内へ摺動可能に嵌合させた筒状ピストン（図示せず）からステム４を起立している。該ステム上端部には、押下げヘッド５の天板5aから垂下する嵌合筒5bを嵌着し、かつ、上記天板周縁から垂下したヘッド周壁5cの前壁に、上記ステム内部と連通するノズル６を設けている。更に、本縦形ポンプは、上記シリンダ２内下部に吸上げ弁（図示せず）を、又、上記ステム上部内には玉弁である吐出弁７をそれぞれ付設し、上記押下げヘッドの上下動により吸上げパイプ３から吸上げ弁を介してシリンダ２内へ液体を吸上げ、かつ、該液体を上記ステム４及び吐出弁７を介してノズル６から吐出可能に構成している。
【００１２】
上記シリンダ２の上部には、第１装着筒付きの抜止め筒部材11を嵌合させている。該部材は、フランジ状頂板13内周からステム案内兼用の筒状ピストン抜止め筒17を垂下し、かつ、該筒との間に間隙をおいて中筒12を垂下し、又、上記頂板外周からは外周壁14を垂下し、該外周壁下端から外方張出し部16を介して第１装着筒15を垂下させている。上記抜止め筒17と中筒12との間にはシリンダ上部に設けた外向きフランジ上方のシリンダ部分を嵌合固着させており、又、外周壁上部をヘッド周壁5c螺合用の雄ねじとしている。尚、図示例では、抜止め筒17と中筒12とからなる、シリンダ上部内外面への嵌合部分と第１装着筒15とを一体成形しているが、これらは通常行われているように別部材とすることができる。
【００１３】
本願発明においては、上記第１装着筒15の外面には、第１係止突条18が周設されている。図示例では、第１装着筒15の下半筒部を小外径部に形成すると共に、該小外径部外面に上記第１係止突条18を付設している。又、上記第１装着筒15の内面には、複数の第１回動防止用突条19…が縦設してある。
【００１４】
21は、上記縦形ポンプ１を広口ボトルＡへ固定するための筒状保持部材である。該部材は、上記第１装着筒15の外面への嵌合可能な内径を有する保持筒22を有し、該保持筒の外面から巾広の外向きフランジ23を外方突出し、該外向きフランジ外縁から広口ボトルＡの大径口頸部への取付用の第２装着筒24を垂設している。これら大径口頸部外面と第２装着筒内面とには、相互に係合可能な螺条をそれぞれ設けることが望ましい。尚、好適な図示例では、上記第１装着筒15と保持筒22とをほぼ同じ筒長とすると共に、該保持筒の外面上端部から外向きフランジ23を外方突出することで、該外向きフランジ上面と外方張出し部16上面とが図１に示す如くほぼ面一となるように設けている。もっとも、上端部以外の保持筒22外面部分、例えば外面上下方向中間部から上記外向きフランジ23を突出させた構造としても良い。上記第２装着筒24の内面には、上記第１係止突条18の上面へ係止可能な第２係止突条25を周設することで、第１装着筒15の上方抜出しを防止している。
【００１５】
上記保持筒22の下端からは、内向きフランジ26を介して補助筒27を起立している。該補助筒は、上記第１装着筒15内面へ嵌合させることで、上記第１、第２係止突条18、25 相互の係合を確実に保持している。図示の補助筒は、大径下半部27ａからテーパ状部を介して小径上半部27ｂを起立しており、上記大径下半部27ａと保持筒22下端部との間に第１装着筒15の下端部を挟持すると共に、小径上半部27ｂの外面に、図３に示す如く上記第１回動防止用突条19と係合可能な複数の第２回動防止用突条28…を縦設している。
【００１６】
上記構成に於いて、本願発明に係る広口ボトルＡに使用するときには、まず、上記縦形ポンプ１と保持部材21とが分離した状態から、図３に示す如く上記保持部材の第２装着筒24を上記広口ボトルＡの口頸部外面へ嵌合させると良い。この状態で保持部材を装着した広口ボトルＡと、縦形ポンプ１とをそれぞれ液体充填ラインに搬入し、図３に示す補助筒27の筒孔から広口ボトル内へ液体を充填する。次に、例えば縦形ポンプ１側面を挟持用のアームなどで挟んで、該ポンプの第１装着筒15を上記保持筒22内へ押し込み、第１、第２係止突条18、25 を係合させることで、図１の如く標準的サイズの口頸部用の縦形ポンプ１を保持部材21を介して広口ボトルＡの口頸部へ装着することができる。
【００１７】
次に上記広口ボトルを購入した最終需要者が、図１の状態から押下げヘッドのヘッド周壁5cを掴んで開方向へ回転させると、上記第１、第２回動防止用突条19、28 が上記第１装着筒15の回動を阻止してヘッド周壁5c内面と外周壁14外面とにそれぞれ設けた螺条に回転力が集中するため、その螺合を効果的に解除することができる。又、内容液を使い切った後に、第２装着筒24を上記広口ボトルＡの大径口頸部に対して回転させると、該口頸部上面が開口して該開口から詰め替え用液体をボトル内へ注ぎ込むことができるので、該液体を口頸部外へこぼすことを防止できる。
【００１８】
【発明の効果】
本願発明は如上の構成のものであり、請求項１の発明は次の効果を奏する。
○広口ボトル口頸部への装着用の第２装着筒24を設けたから、ボトルの内容液を使い切ったときに、第２装着筒24を大径口頸部から外して該口頸部からボトル内へ詰め替え用液体を注ぎ込めば良く、該液体を口頸部の外にこぼす虞が少ない。○上記広口ボトル口頸部に対して保持部材21を介して縦形ポンプ１を支持させることとしたから、該ポンプを上記大径口頸部に合わせて大とする必要がなく、従って、液体充填ラインで縦形ポンプ１を保持部材に嵌め込むときに標準的なポンプの大きさに対応した既存の嵌め込み装置を使用することができ、又、これにより、口径の異なる多種類のボトルについて、規格化されたサイズのポンプを共用することができる。
【００１９】
請求項２の発明によれば、次の効果を奏する。
○上記保持筒22下端から内向きフランジ26を介して補助筒27を起立したから、上記保持筒22内面に嵌合させた第１装着筒15の脱落を確実に防止できる。
○上記補助筒27を上記第１装着筒15内面へ嵌合させたから、該補助筒外面と保持筒22内面との間に第１装着筒を挟持してその上方抜出しを有効に防止できる。
【００２０】
請求項３の発明によれば、第１装着筒15の上端に設けた外方張出し部16上面と外向きフランジ23上面とをほぼ面一としたから、これら両面間の段差に埃などが付着することを防止できると共に、それら両面を外観上一体の如く連続させて、すっきりした外見の容器とすることができる。
【図面の簡単な説明】
【図１】  本願発明に係るポンプを広口ボトルに取り付けた状態で示す半断面図である。
【図２】  図１のポンプに係る縦形ポンプの半断面図である。
【図３】  図１のポンプに係る保持部材を広口ボトルに取り付けた状態で示す半断面図である。
【符号の説明】
１…縦形ポンプ          ２…シリンダ          ４…ステム
５…押下げヘッド        5c…ヘッド周壁
13…フランジ状頂板      14…外周壁            15…第１装着筒
16…外方張出し部        18…第１係止突条      19…第１回動防止用突条
21…保持部材            22…保持筒            23…外向きフランジ
24…第２装着筒          25…第２係止突条      26…内向きフランジ
27…補助筒              28…第２回動防止用突条
【図１】
0004014797.tif 000002
【図２】
0004014797.tif 000003
【図３】
0004014797.tif 000004